(57)【要約】Ｗｉ−Ｆｉ通信ネットワーク（１００）における測位判定を容易にするために開始通信ノード（１１０）によって実行される方法が開示される。本方法は、位置関連判定手順を開始する要求と、開始通信ノード（１１０）が通信できる第１の複数の周波数帯域の情報を応答通信ノード（１２０）に送信することを含む。本方法は、応答通信ノード（１２０）から、応答通信ノード（１２）が通信できる第２数の周波数帯域に関連した第２情報を受信することと、受信した第２情報に基づいて位置関連判定手順の開始をトリガすることと、をさらに含み、その結果、位置関連判定手順は、第１の複数の周波数帯域及び第２の数の周波数帯域の両方にある第３数の周波数帯域の少なくとも１つで実行される。
2021500780.tif 000002
【特許請求の範囲】
【請求項１】
Ｗｉ−Ｆｉ通信ネットワーク（１００）における測位判定を容易にするために、開始通信ノード（１１０）によって実行される方法であって、
前記Ｗｉ−Ｆｉ通信ネットワークは、前記開始通信ノード（１１０）と、前記開始通信ノード（１１０）と無線通信する応答通信ノード（１２０）と、を含み、前記方法は、
位置関連判定手順を開始する要求を前記応答通信ノード（１２０）に送信する（２０２）ことと、
前記開始通信ノード（１１０）が通信できる第１の複数の周波数帯域の情報を、前記応答通信ノード（１２０）に送信する（２０４）ことと、
前記応答通信ノード（１２０）が通信できる第２数の周波数帯域に関する第２情報を、前記応答通信ノード（１２０）から受信する（２０６）ことと、
受信した前記第２情報に基づいて、前記位置関連判定手順の開始をトリガする（２０８）ことと、
を含み、
その結果、前記位置関連判定手順が、前記第１の複数の周波数帯域及び前記第２数の周波数帯域の両方にある第３数の周波数帯域の少なくとも１つで実行される、方法。
【請求項２】
請求項１に記載の方法であって、
前記位置関連判定手順は、ＦＴＭ手順の測定交換フェーズであり、前記開始通信ノード（１１０）が通信できる前記第１の複数の周波数帯域の前記情報は、ＦＴＭパラメータフィールドフォーマットで送信される、方法。
【請求項３】
請求項２に記載の方法であって、
前記第１の複数の周波数帯域の前記情報は、前記第１の複数の周波数帯域の前記情報に専用の前記ＦＴＭパラメータフィールドフォーマットのビットで送信される、方法。
【請求項４】
請求項１から３のいずれか１項に記載の方法であって、
前記応答通信ノード（１２０）に、Ｗｉ−Ｆｉ通信ネットワークにおける測位判定を容易にするための前記方法を使用するか否かの表示を送信する（２０３）ことをさらに含む、方法。
【請求項５】
請求項４に記載の方法であって、
前記表示は、ＦＴＭパラメータフィールドフォーマットの既存ビットで送信される（２０３）、方法。
【請求項６】
請求項１から５のいずれか１項に記載の方法であって、
受信した（２０６）前記第２情報は、前記応答通信ノード（１２０）が通信できる前記第２数の周波数帯域の前記情報である、方法。
【請求項７】
請求項６に記載の方法であって、
前記位置関連判定手順は、ＦＴＭ手順の測定交換フェーズであり、前記応答通信ノード（１２０）が通信できる前記第２数の周波数帯域の前記情報は、ＦＴＭパラメータフィールドフォーマットで受信される、方法。
【請求項８】
請求項７に記載の方法であって、
前記第２数の周波数帯域の前記情報は、前記第２数の周波数帯域の前記情報に専用の前記ＦＴＭパラメータフィールドフォーマットのビットで受信される、方法。
【請求項９】
請求項１から５のいずれか１項に記載の方法であって、
前記開始通信ノード（１１０）は、無線通信局（１３０）であり、
前記応答通信ノード（１２０）は、アクセスポイント（１４０）であり、
前記アクセスポイント（１４０）から受信した前記第２情報は、前記第３数の周波数帯域の少なくとも１つで前記位置関連判定手順の開始をトリガするための前記無線通信局（１３０）への命令を含み、
前記命令は、記第３数の周波数帯域の前記少なくとも１つの情報を含む、方法。
【請求項１０】
請求項９に記載の方法であって、
前記位置関連判定手順は、ＦＴＭ手順の測定交換フェーズであり、
前記第３数の周波数帯域の前記少なくとも１つの前記情報は、ＦＴＭパラメータフィールドフォーマットで受信される、方法。
【請求項１１】
請求項１０に記載の方法であって、
前記第３数の周波数帯域の前記少なくとも１つの前記情報は、前記ＦＴＭパラメータフィールドフォーマットのフォーマット及び帯域幅フィールドで受信される、方法。
【請求項１２】
請求項９又は１０に記載の方法であって、
前記第３数の周波数帯域の前記少なくとも１つは、前記位置関連判定手順に使用するのに最適な周波数帯域であると決定された前記第３数の周波数帯域の１つである、方法。
【請求項１３】
請求項１２に記載の方法であって、
前記最適な前記第３数の周波数帯域の前記情報は、前記ＦＴＭ手順の確認応答（ＡＣＫ）メッセージで前記アクセスポイントから受信され、
前記ＡＣＫメッセージは、前記ＦＴＭ手順の前記測定交換フェーズを開始するために送信された要求に応答して受信される、方法。
【請求項１４】
請求項９から１３のいずれか１項に記載の方法であって、
前記アクセスポイントからの前記命令は、前記位置関連判定手順のためだけに前記第３数の周波数帯域を使用することを含む、方法。
【請求項１５】
Ｗｉ−Ｆｉ通信ネットワーク（１００）における測位判定を容易にするために、応答通信ノード（１２０）によって実行される方法であって、
前記Ｗｉ−Ｆｉ通信ネットワークは、前記応答通信ノード（１２０）と、前記応答通信ノード（１２０）と無線通信する開始通信ノード（１１０）と、を含み、前記方法は、
位置関連判定手順を開始する要求を、前記開始通信ノード（１１０）から受信する（３０２）ことと、
前記開始通信ノード（１１０）が通信できる第１の複数の周波数帯域の情報を、前記開始通信ノード（１１０）から受信する（３０４）ことと、
前記開始通信ノードが前記位置関連判定手順を開始する周波数帯域に関連し、前記第１の複数の周波数帯域の前記情報と、前記応答通信ノード（１２０）が通信できる第２数の周波数帯域の情報と、に基づく第２情報を、前記開始通信ノード（１１０）に送信する（３０６）ことと、
前記第１の複数の周波数帯域及び前記第２数の周波数帯域の両方にある第３数の周波数帯域の少なくとも１つで前記位置関連判定手順の開始をトリガするメッセージを、前記開始通信ノード（１１０）から受信する（３０８）ことと、
を含む方法。
【請求項１６】
請求項１５に記載の方法であって、
前記位置関連判定手順は、ＦＴＭ手順の測定交換フェーズであり、
前記開始通信ノード（１１０）が通信できる前記第１の複数の周波数帯域の前記情報は、ＦＴＭパラメータフィールドフォーマットで受信される、方法。
【請求項１７】
請求項１６に記載の方法であって、
前記第１の複数の周波数帯域の前記情報は、前記第１の複数の周波数帯域の前記情報に専用の前記ＦＴＭパラメータフィールドフォーマットのビットで受信される（３０４）、方法。
【請求項１８】
請求項１５から１７のいずれか１項に記載の方法であって、
前記開始通信ノード（１１０）から、Ｗｉ−Ｆｉ通信ネットワークにおける測位判定を容易にするための前記方法を使用することの表示を受信する（３０３）ことをさらに含む、方法。
【請求項１９】
請求項１８に記載の方法であって、
前記表示は、ＦＴＭパラメータフィールドフォーマットの既存ビットで受信される（３０３）、方法。
【請求項２０】
請求項１５から１９のいずれか１項に記載の方法であって、
送信された（３０６）前記第２情報は、前記応答通信ノード（１２０）が通信できる前記第２数の周波数帯域の前記情報である、方法。
【請求項２１】
請求項２０に記載の方法であって、
前記位置関連判定手順は、ＦＴＭ手順の測定交換フェーズであり、前記応答通信ノード（１２０）が通信できる前記第２数の周波数帯域の前記情報は、ＦＴＭパラメータフィールドフォーマットで送信される、方法。
【請求項２２】
請求項２１に記載の方法であって、前記第２数の周波数帯域の前記情報は、前記第２数の周波数帯域の前記情報に専用の前記ＦＴＭパラメータフィールドフォーマットのビットで送信される、方法。
【請求項２３】
請求項１５から２０のいずれか１項に記載の方法であって、
前記開始通信ノード（１１０）は、無線通信局（１３０）であり、
前記応答通信ノード（１２０）は、アクセスポイント（１４０）であり、
前記アクセスポイント（１４０）から送信された前記第２情報は、前記第３数の周波数帯域の少なくとも１つで前記位置関連判定手順の開始をトリガするための前記無線通信局（１３０）への命令を含み、
前記命令は、記第３数の周波数帯域の前記少なくとも１つの情報を含む、方法。
【請求項２４】
請求項２３に記載の方法であって、
前記位置関連判定手順は、ＦＴＭ手順の測定交換フェーズであり、前記第３数の周波数帯域の前記少なくとも１つの前記情報は、ＦＴＭパラメータフィールドフォーマットで送信される、方法。
【請求項２５】
請求項２４に記載の方法であって、
前記第３数の周波数帯域の前記少なくとも１つの前記情報は、前記ＦＴＭパラメータフィールドフォーマットのフォーマット及び帯域幅フィールドで送信される、方法。
【請求項２６】
請求項２４又は２５に記載の方法であって、
前記第３数の周波数帯域の前記少なくとも１つは、前記位置関連判定手順に使用するのに最適な周波数帯域であると決定された前記第３数の周波数帯域の１つである、方法。
【請求項２７】
請求項２６に記載の方法であって、
前記最適な前記第３数の周波数帯域の前記情報は、前記ＦＴＭ手順の確認応答（ＡＣＫ）メッセージで前記無線通信局（１３０）に送信され、
前記ＡＣＫメッセージは、前記ＦＴＭ手順の前記測定交換フェーズを開始するために受信された要求に応答して送信される、方法。
【請求項２８】
請求項２６又は２７に記載の方法であって、
前記無線通信局１３０への前記命令は、前記位置関連判定手順のためだけに前記第３数の周波数帯域を使用することを含む、方法。
【請求項２９】
Ｗｉ−Ｆｉ通信ネットワーク（１００）で動作可能な開始通信ノード（１１０）であって、
前記Ｗｉ−Ｆｉ通信ネットワークは、前記開始通信ノード（１１０）と、前記開始通信ノード（１１０）と無線通信する様に構成された応答通信ノード（１２０）と、を備え、
前記開始通信ノード（１１０）は、プロセッサ（６０３）と、メモリ（６０４）と、を有し、
前記メモリは、前記プロセッサによって実行可能な命令を含み、それにより、前記開始通信ノード（１１０）は、
位置関連判定手順を開始する要求を前記応答通信ノード（１２０）に送信し、
前記開始通信ノード（１１０）が通信できる第１の複数の周波数帯域の情報を、前記応答通信ノード（１２０）に送信し、
前記応答通信ノード（１２０）が通信できる第２数の周波数帯域に関する第２情報を、前記応答通信ノード（１２０）から受信し、
受信した前記第２情報に基づいて、前記位置関連判定手順の開始をトリガする様に動作し、
その結果、前記位置関連判定手順が、前記第１の複数の周波数帯域及び前記第２数の周波数帯域の両方にある第３数の周波数帯域の少なくとも１つで実行される、開始通信ノード。
【請求項３０】
請求項２９に記載の開始通信ノード（１１０）であって、
前記位置関連判定手順は、ＦＴＭ手順の測定交換フェーズであり、
前記開始通信ノード（１１０）は、前記開始通信ノード（１１０）が通信できる前記第１の複数の周波数帯域の前記情報を、ＦＴＭパラメータフィールドフォーマットで送信する様に動作する、開始通信ノード。
【請求項３１】
請求項３０に記載の開始通信ノード（１１０）であって、
前記第１の複数の周波数帯域の前記情報を、前記第１の複数の周波数帯域の前記情報に専用のＦＴＭパラメータフィールドフォーマットのビットで送信する様に動作する、開始通信ノード。
【請求項３２】
請求項２９から３１のいずれか１項に記載の開始通信ノード（１１０）であって、
前記第２情報は、前記応答通信ノード（１２０）が通信できる前記第２数の周波数帯域の前記情報である、開始通信ノード。
【請求項３３】
請求項３２に記載の開始通信ノード（１１０）であって、
前記位置関連判定手順は、ＦＴＭ手順の測定交換フェーズであり、
前記開始通信ノード（１１０）は、前記応答通信ノード（１２０）が通信できる前記第２数の周波数帯域の前記情報を、ＦＴＭパラメータフィールドフォーマットで受信する様に動作する、開始通信ノード。
【請求項３４】
請求項３３に記載の開始通信ノード（１１０）であって、
前記第２数の周波数帯域の前記情報を、前記第２数の周波数帯域の前記情報に専用のＦＴＭパラメータフィールドフォーマットのビットで受信する様に動作する、開始通信ノード。
【請求項３５】
請求項２９から３１のいずれか１項に記載の開始通信ノード（１１０）であって、
前記開始通信ノード（１１０）は、無線通信局（１３０）であり、
前記応答通信ノード（１２０）は、アクセスポイント（１４０）であり、
前記無線通信局が前記アクセスポイント（１４０）から受信する様に動作する前記第２情報は、前記第３数の周波数帯域の前記少なくとも１つで前記位置関連判定手順の開始をトリガするための前記無線通信局（１３０）への命令を含み、
前記命令は、記第３数の周波数帯域の前記少なくとも１つの情報を含む、開始通信ノード。
【請求項３６】
請求項３５に記載の開始通信ノード（１１０）であって、
前記位置関連判定手順は、ＦＴＭ手順の測定交換フェーズであり、
前記無線通信局（１３０）は、前記第３数の周波数帯域の前記少なくとも１つの前記情報を、ＦＴＭパラメータフィールドフォーマットで受信する様に動作する、開始通信ノード。
【請求項３７】
請求項３６に記載の開始通信ノード（１１０）であって、
前記第３数の周波数帯域の前記少なくとも１つの前記情報を、前記ＦＴＭパラメータフィールドフォーマットのフォーマット及び帯域幅フィールドで受信する様に動作する、開始通信ノード。
【請求項３８】
請求項３５又は３６に記載の方法であって、
前記第３数の周波数帯域の前記少なくとも１つは、前記位置関連判定手順に使用するのに最適な周波数帯域であると決定された前記第３数の周波数帯域の１つである、開始通信ノード。
【請求項３９】
請求項３８に記載の開始通信ノード（１１０）であって、
前記最適な前記第３数の周波数帯域の前記情報を、前記ＦＴＭ手順のＡＣＫメッセージで前記アクセスポイントから受信する様に動作し、
前記ＡＣＫメッセージは、前記ＦＴＭ手順の前記測定交換フェーズを開始するために送信された要求に応答して受信される、開始通信ノード。
【請求項４０】
Ｗｉ−Ｆｉ通信ネットワーク（１００）で動作可能な応答通信ノード（１２０）であって、
前記Ｗｉ−Ｆｉ通信ネットワークは、前記応答通信ノード（１２０）と、前記応答通信ノード（１２０）と無線通信する様に構成された開始通信ノード（１１０）と、を備え、
前記応答通信ノード（１２０）は、プロセッサ（８０３）と、メモリ（８０４）と、を有し、
前記メモリは、前記プロセッサによって実行可能な命令を含み、それにより、前記応答通信ノード（１２０）は、
位置関連判定手順を開始する要求を、前記開始通信ノード（１１０）から受信し、
前記開始通信ノード（１１０）が通信できる第１の複数の周波数帯域の情報を、前記開始通信ノード（１１０）から受信し、
前記開始通信ノードが前記位置関連判定手順を開始する周波数帯域に関連し、前記第１の複数の周波数帯域の前記情報と、前記応答通信ノード（１２０）が通信できる第２数の周波数帯域の情報と、に基づく第２情報を、前記開始通信ノード（１１０）に送信し、
前記第１の複数の周波数帯域及び前記第２数の周波数帯域の両方にある第３数の周波数帯域の少なくとも１つで前記位置関連判定手順の開始をトリガするメッセージを、前記開始通信ノード（１１０）から受信する様に動作する、応答通信ノード。
【請求項４１】
請求項４０に記載の応答通信ノード（１２０）であって、
前記位置関連判定手順は、ＦＴＭ手順の測定交換フェーズであり、
前記応答通信ノード（１２０）は、前記開始通信ノード（１１０）が通信できる前記第１の複数の周波数帯域の前記情報を、ＦＴＭパラメータフィールドフォーマットで受信する様に動作する、応答通信ノード。
【請求項４２】
請求項４１に記載の応答通信ノード（１２０）であって、
前記第１の複数の周波数帯域の前記情報を、前記第１の複数の周波数帯域の前記情報に専用のＦＴＭパラメータフィールドフォーマットのビットで受信する様に動作する、応答通信ノード。
【請求項４３】
請求項４０から４２のいずれか１項に記載の応答通信ノード（１２０）であって、
前記第２情報は、前記応答通信ノード（１２０）が通信できる前記第２数の周波数帯域の前記情報である、応答通信ノード。
【請求項４４】
請求項４３に記載の応答通信ノード（１２０）であって、
前記位置関連判定手順は、ＦＴＭ手順の測定交換フェーズであり、
前記応答通信ノード（１２０）は、前記応答通信ノード（１２０）が通信できる前記第２数の周波数帯域の前記情報を、ＦＴＭパラメータフィールドフォーマットで送信する様に動作する、応答通信ノード。
【請求項４５】
請求項４４に記載の応答通信ノード（１２０）であって、
前記第２数の周波数帯域の前記情報を、前記第２数の周波数帯域の前記情報に専用のＦＴＭパラメータフィールドフォーマットのビットで送信する様に動作する、応答通信ノード。
【請求項４６】
請求項４０から４３のいずれか１項に記載の応答通信ノード（１２０）であって、
前記開始通信ノード（１１０）は、無線通信局（１３０）であり、
前記応答通信ノード（１２０）は、アクセスポイント（１４０）であり、
前記第２情報は、前記第３数の周波数帯域の前記少なくとも１つで前記位置関連判定手順の開始をトリガするための前記無線通信局（１３０）への命令を含み、
前記命令は、前記第３数の周波数帯域の前記少なくとも１つの情報を含む、方法。
【請求項４７】
請求項４６に記載の応答通信ノード（１２０）であって、
前記位置関連判定手順は、ＦＴＭ手順の測定交換フェーズであり、
前記応答通信ノードは、前記第３数の周波数帯域の前記少なくとも１つの情報を、ＦＴＭパラメータフィールドフォーマットで送信する様に動作する、応答通信ノード。
【請求項４８】
請求項４７に記載の応答通信ノード（１２０）であって、
前記第３数の周波数帯域の前記少なくとも１つの前記情報を、前記ＦＴＭパラメータフィールドフォーマットのフォーマット及び帯域幅フィールドで送信する様に動作する、応答通信ノード。
【請求項４９】
請求項４７又は４８に記載の方法であって、
前記第３数の周波数帯域の前記少なくとも１つは、前記位置関連判定手順に使用するのに最適な周波数帯域であると決定された前記第３数の周波数帯域の１つである、応答通信ノード。
【請求項５０】
請求項４９に記載の応答通信ノード（１２０）であって、
前記最適な前記第３数の周波数帯域の前記情報を、前記ＦＴＭ手順のＡＣＫメッセージで前記無線通信局（１３０）に送信する様に動作する、
前記ＡＣＫメッセージは、前記ＦＴＭ手順の前記測定交換フェーズを開始するために受信された要求に応答して送信される、応答通信ノード。
【請求項５１】
請求項４９又は５０に記載の応答通信ノード（１２０）であって、
前記無線通信局（１３０）への前記命令は、前記位置関連判定手順のためだけに前記第３数の周波数帯域を使用することを含む、応答通信ノード。
【請求項５２】
開始通信ノード（１１０）と、前記開始通信ノード（１１０）と無線通信する様に構成された応答通信ノード（１２０）と、を有するＷｉ−Ｆｉ通信ネットワークの前記開始通信ノード（１１０）の少なくとも１つのプロセッサによって実行されると、前記開始通信ノード（１１０）に、
位置関連判定手順を開始する要求を前記応答通信ノード（１２０）に送信することと、
前記開始通信ノード（１１０）が通信できる第１の複数の周波数帯域の情報を、前記応答通信ノード（１２０）に送信することと、
前記応答通信ノード（１２０）が通信できる第２数の周波数帯域に関する第２情報を、前記応答通信ノード（１２０）から受信することと、
受信した前記第２情報に基づいて、前記位置関連判定手順の開始をトリガすることと、を実行させ、
その結果、前記位置関連判定手順が、前記第１の複数の周波数帯域及び前記第２数の周波数帯域の両方にある第３数の周波数帯域の少なくとも１つで実行される、コンピュータプログラム。
【請求項５３】
請求項５２に記載のコンピュータプログラム（６０５）を含むキャリアであって、
前記キャリアは、電気信号、光信号、無線信号、又は、コンピュータ可読記憶媒体の１つである、キャリア。
【請求項５４】
応答通信ノード（１２０）と、前記応答信ノード（１２０）と無線通信する様に構成された開始通信ノード（１１０）と、を有するＷｉ−Ｆｉ通信ネットワークの前記応答通信ノード（１２０）の少なくとも１つのプロセッサによって実行されると、前記応答信ノード（１１０）に、
位置関連判定手順を開始する要求を、前記開始通信ノード（１１０）から受信することと、
前記開始通信ノード（１１０）が通信できる第１の複数の周波数帯域の情報を、前記開始通信ノード（１１０）から受信することと、
前記開始通信ノードが前記位置関連判定手順を開始する周波数帯域に関連し、前記第１の複数の周波数帯域の前記情報と、前記応答通信ノード（１２０）が通信できる第２数の周波数帯域の情報と、に基づく第２情報を、前記開始通信ノード（１１０）に送信することと、
前記第１の複数の周波数帯域及び前記第２数の周波数帯域の両方にある第３数の周波数帯域の少なくとも１つで前記位置関連判定手順の開始をトリガするメッセージを、前記開始通信ノード（１１０）から受信することと、を実行させる、コンピュータプログラム。
【請求項５５】
請求項５４に記載のコンピュータプログラム（８０５）を含むキャリアであって、
前記キャリアは、電気信号、光信号、無線信号、又は、コンピュータ可読記憶媒体の１つである、キャリア。
【請求項５６】
Ｗｉ−Ｆｉ通信ネットワーク（１００）で動作可能な開始通信ノード（１１０）であって、
前記Ｗｉ−Ｆｉ通信ネットワークは、前記開始通信ノード（１１０）と、前記開始通信ノードと無線通信する様に構成された応答通信ノード（１２０）と、を備え、
前記開始通信ノード（１１０）は、
位置関連判定手順を開始する要求を前記応答通信ノード（１２０）に送信する第１送信モジュール（７０４）と、
前記開始通信ノード（１１０）が通信できる第１の複数の周波数帯域の情報を、前記応答通信ノード（１２０）に送信する第２送信モジュール（７０６）と、
前記応答通信ノード（１２０）が通信できる第２数の周波数帯域に関する第２情報を、前記応答通信ノード（１２０）から受信する受信モジュール（７０８）と、
受信した前記第２情報に基づいて、前記位置関連判定手順の開始をトリガするトリガ開始モジュール（７１０）と、を備え、
その結果、前記位置関連判定手順が、前記第１の複数の周波数帯域及び前記第２数の周波数帯域の両方にある第３数の周波数帯域の少なくとも１つで実行される、開始通信ノード。
【請求項５７】
Ｗｉ−Ｆｉ通信ネットワーク（１００）で動作可能な応答通信ノード（１２０）であって、
前記Ｗｉ−Ｆｉ通信ネットワークは、前記応答通信ノード（１２０）と、前記応答通信ノードと無線通信する様に構成された開始通信ノード（１１０）と、を備え、
前記応答通信ノード（１２０）は、
位置関連判定手順を開始する要求を前記開始通信ノード（１１０）から受信する第１受信モジュール（９０４）と、
前記開始通信ノード（１１０）が通信できる第１の複数の周波数帯域の情報を、前記開始通信ノード（１１０）から受信する第２受信モジュール（９０６）と、
前記開始通信ノードが前記位置関連判定手順を開始する周波数帯域に関連し、前記第１の複数の周波数帯域の前記情報と、前記応答通信ノード（１２０）が通信できる第２数の周波数帯域の情報と、に基づく第２情報を、前記開始通信ノード（１１０）に送信する第１送信モジュール（９０８）と、
前記第１の複数の周波数帯域及び前記第２数の周波数帯域の両方にある第３数の周波数帯域の少なくとも１つで前記位置関連判定手順の開始をトリガするメッセージを、前記開始通信ノード（１１０）から受信する第３受信モジュール（９１０）と、
を備えている応答通信ノード。
【発明の詳細な説明】
【技術分野】
【０００１】
本開示は、概して、Ｗｉ−Ｆｉ通信ネットワークにおける測位判定を容易にするための方法及び通信ノードに関する。より詳しくは、本開示は、概して、Ｗｉ−Ｆｉ通信ネットワークにおける測位判定を容易にするための方法、開始通信ノード及び応答通信ノードに関する。
【背景技術】
【０００２】
今日の無線接続社会においては、無線通信ネットワークに接続された無線通信デバイスのユーザに提供される位置依存サービス等の、正確な位置判定に依存する多くのサービスが存在する。無線通信ネットワークの通信デバイスに無線アクセスを提供するための様々な技術が存在する。そのような無線通信技術の１つはＷｉ−Ｆｉである。Ｗｉ−Ｆｉは、ＩＥＥＥ８０２．１１標準で定義されている。ＩＥＥＥ８０２．１１は、免許不要周波数帯域における無線ローカルエリアネットワーク（ＷＬＡＮ）の通信を実現するための媒体アクセス制御（ＭＡＣ）と物理層（ＰＨＹ）仕様のセットである。
【０００３】
現在の標準化技術は、歩行者向けのナビゲーション等のＷｉ−Ｆｉベースの位置依存サービスをすでに可能としている。具体的には、２０１６年１２月７日に出版された、Ｗｉ−Ｆｉ標準ＩＥＥＥ８０２．１１−２０１６"パート１１：無線ＬＡＮ媒体アクセス制御（ＭＡＣ）及び物理層（ＰＨＹ）仕様"は、８０２．１１ｎ／ａｃを用いて、３ｍ程度の位置精度を可能にする手順であるファインタイミング測定（ＦＴＭ）を定義している。ＦＴＭ手順は、Ｗｉ−Ｆｉの通信ノード間の距離を測定するために使用される。手順は、パケットが送受信された時点の記録に基づく。基本的に、第１時点ｔ１は、ＦＴＭパケットが第１ノードから送信されるときに第１通信ノードで記録され、第２時点ｔ２は、ＦＴＭパケットが第２ノードで受信されたときに第２通信ノードで記録される。次に、飛行時間ＴｏＦは、ｔ２−ｔ１として決定される。決定された飛行時間から、第１通信ノードと第２通信ノードとの間の距離を判定することができる。上述の様に、第１通信ノードと第２通信ノードとの間において、両方向で複数のその様なパケットを送信することにより、約３ｍの距離測定精度を達成することができる。ＴｏＦ測定と同様に、第１通信ノードと他の通信ノードとの間で送信されたパケットから決定された距離は、例えば、三角測量により第１通信ノードの位置を決定するために、第１通信ノードと第２通信ノード間の決定された距離と共に使用される。
【０００４】
ただし、ＷＬＡＮにおいて、他の用途やサービスは、ＩＥＥＥ８０２．１１−２０１６のＦＴＭ手順から達成できる精度よりも高い精度を必要とする。そのような用途及びサービスの例を以下に示す。
１）マイクロロケーション−０．１メートル以下の精度での、より堅牢で正確なロケーションサービスであり、例えば、特定の棚や店舗の入口にある製品へのガイダンスを提供したり、ユーザの好みを特定したりする。
２）混雑した地下鉄駅やスタジアム向けの、オーバヘッドが少なく拡張性の高い屋内測位システム。
３）ピアツーピア接続及び意思決定のための無線Ｗｉ−Ｆｉ通信局（ＳＴＡ）間の位置判定。
４）方向性発見、例えば、美術館／店舗を訪れる人々は、展示会の展示物についてのガイドを希望し、高い棚上の品物へのガイドを希望する。
【発明の概要】
【発明が解決しようとする課題】
【０００５】
これらのニーズを満たすために、８０２．１１ａｚ内のタスクグループであるＩＥＥＥ８０２．１１次世代ポジショニング（ＮＧＰ）の研究グループが２０１５年９月に作業を開始した。その範囲は、"高スループット（ＨＴ）、超高スループット（ＶＨＴ）、方向性マルチギガビット（ＤＭＧ）のＩＥＥＥ８０２．１１ＭＡＣとＰＨＹの両方に対する変更を定義し、同時開発中のＰＨＹ、例えば、高効率（ＨＥ）、次世代６０ＧＨｚ（ＮＧ６０）は、同じＰＨＹタイプで実行されるＦＴＭプロトコルより正確に絶対位置と相対位置を判定できると同時に、既存の無線媒体の使用と電力消費を削減し、高密度の配置に拡張可能"である。
【０００６】
上述した様に、Ｗｉ−Ｆｉ通信ネットワークの通信ノード間の距離を、今日の方法で可能なものよりも高い精度で決定する方法を見つけることへの関心がある。
【課題を解決するための手段】
【０００７】
本発明の目的は、上述した問題の少なくとも１つを解決することである。添付の独立請求項に定義されている方法及び通信ノードを使用することにより、これらの目的及びその他の目的を達成することが可能である。
【０００８】
一態様によると、Ｗｉ−Ｆｉ通信ネットワークにおける測位判定を容易にするために開始通信ノードによって実行される方法が提供される。Ｗｉ−Ｆｉ通信ネットワークは、開始通信ノードと、開始通信ノードと無線通信する応答通信ノードとを含む。本方法は、位置関連判定手順を開始する要求を応答通信ノードに送信することと、開始通信ノードが通信できる第１の複数の周波数帯域の情報を応答通信ノードに送信することと、を含む。本方法は、応答通信ノードから、応答通信ノードが通信できる第２数の周波数帯域に関連した第２情報を受信することと、受信した第２情報に基づいて位置関連判定手順の開始をトリガすることと、をさらに含み、その結果、位置関連判定手順は、第１の複数の周波数帯域及び第２数の周波数帯域の両方にある第３数の周波数帯域の少なくとも１つで実行される。
【０００９】
他の態様によると、Ｗｉ−Ｆｉ通信ネットワークにおける測位判定を容易にするために応答通信ノードによって実行される方法が提供される。Ｗｉ−Ｆｉ通信ネットワークは、応答通信ノードと、応答通信ノードと無線通信する開始通信ノードと、を含む。本方法は、位置関連判定手順を開始する要求を開始通信ノードから受信することと、開始通信ノードが通信できる第１の複数の周波数帯域の情報を開始通信ノードから受信することと、を含む。本方法は、開始通信ノードが位置関連判定手順を開始する周波数帯域に関連し、第１の複数の周波数帯域の情報と、応答通信ノードが通信できる第２数の周波数帯域の情報とに基づく第２情報を開始通信ノードに送信することと、開始通信ノードから、第１の複数の周波数帯域と第２周波数帯域の両方にある第３数の周波数帯域の少なくとも１つで位置関連判定手順の開始をトリガするメッセージを受信することと、をさらに含む。
【００１０】
別の態様によると、Ｗｉ−Ｆｉ通信ネットワークで動作可能な開始通信ノードが提供される。Ｗｉ−Ｆｉ通信ネットワークは、開始通信ノードと、開始通信ノードと無線通信する様に構成された応答通信ノードと、を含む。開始通信ノードは、プロセッサとメモリを有する。メモリは、プロセッサにより実行される命令を含み、これにより、開始通信ノードは、位置関連判定手順を開始する要求を応答通信ノードに送信し、開始通信ノードが通信できる第１の複数の周波数帯域の情報を応答通信ノードに送信する様に動作する。開始通信ノードは、応答通信ノードから、応答通信ノードが通信できる第２数の周波数帯域に関連した第２情報を受信し、受信した第２情報に基づいて位置関連判定手順の開始をトリガする様にさらに動作し、その結果、位置関連判定手順は、第１の複数の周波数帯域及び第２数の周波数帯域の両方にある第３数の周波数帯域の少なくとも１つで実行される。
【００１１】
別の実施形態によると、Ｗｉ−Ｆｉ通信ネットワークで動作可能な応答通信ノードが提供される。Ｗｉ−Ｆｉ通信ネットワークは、応答通信ノードと、応答通信ノードと無線通信する様に構成された開始通信ノードと、を含む。応答通信ノードは、プロセッサとメモリを有する。メモリは、プロセッサにより実行される命令を含み、これにより、応答通信ノードは、位置関連判定手順を開始する要求を応答通信ノードから受信し、開始通信ノードが通信できる第１の複数の周波数帯域の情報を開始通信ノードから受信する様に動作する。応答通信ノードは、開始通信ノードが位置関連判定手順を開始する周波数帯域に関連し、第１の複数の周波数帯域の情報と、応答通信ノードが通信できる第２数の周波数帯域の情報とに基づく第２情報を開始通信ノードに送信し、開始通信ノードから、第１の複数の周波数帯域と第２数の周波数帯域の両方にある第３数の周波数帯域の少なくとも１つで位置関連判定手順の開始をトリガするメッセージを受信する様にさらに動作する。
【００１２】
他の態様によると、コンピュータプログラム及びキャリアも提供され、その詳細は、特許請求の範囲及び詳細な説明で説明される。
【００１３】
この解決策のさらなる特徴と利点は、以下の詳細な説明から明らかになる。
【００１４】
以下、添付の図面を参照して、例示的な実施形態により解決策をより詳細に説明する。
【図面の簡単な説明】
【００１５】
【図１】Ｗｉ−Ｆｉ通信ネットワークにおける通信シナリオの概略ブロック図。
【図２】Ｗｉ−Ｆｉ通信ネットワークにおける通信シナリオの概略ブロック図。
【図３】ＦＴＭ手順を示すシグナリング図。
【図４】従来技術によるＦＴＭ手順のＦＴＭパラメータフィールドのブロック図。
【図５】従来技術によるＦＴＭパラメータフィールドのフォーマット及び帯域幅サブフィールドを示す表。
【図６】可能な実施形態による、開始通信ノードにより実行される方法のフローチャート。
【図７】可能な実施形態による、応答通信ノードにより実行される方法のフローチャート。
【図８】一実施形態によるＦＴＭパラメータフィールドのブロック図。
【図９】一実施形態による、図８のＦＴＭパラメータフィールドのビットＢ７２〜Ｂ７５のビット値の可能な意味を示す表。
【図１０】一実施形態による、図８のＦＴＭパラメータフィールドのビットＢ５０〜Ｂ５５のビット値の可能な意味を示す表。
【図１１】従来技術によるＦＴＭ手順のＡＣＫフレームのブロック図。
【図１２】従来技術によるＦＴＭ手順のＡＣＫフレームのフレーム制御サブフィールドのブロック図。
【図１３】実施形態による、フレーム制御サブフィールドのビットＢ０〜Ｂ１のビット値の可能な意味を示す表。
【図１４】さらに可能な実施形態による、開始通信ノードをより詳細に示すブロック図。
【図１５】さらに可能な実施形態による、開始通信ノードをより詳細に示すブロック図。
【図１６】さらに可能な実施形態による、応答通信ノードをより詳細に示すブロック図。
【図１７】さらに可能な実施形態による、応答通信ノードをより詳細に示すブロック図。
【発明を実施するための形態】
【００１６】
図１は、本発明が使用され得る通信シナリオを示している。図１は、開始通信ノード１１０及び応答通信ノード１２０を含むＷｉ−Ｆｉ通信ネットワーク１００を示している。開始通信ノード１１０及び応答通信ノード１２０は、Ｗｉ−Ｆｉを使用して互いに無線通信する様に構成される。一実施形態によると、開始通信ノード１１０は、位置判定関連手順とも呼ばれる位置関連判定手順を開始する通信ノード、又は、位置関連判定手順を開始する要求を送信する通信ノードである。一方、応答通信ノードは、位置関連判定手順の開始に関するメッセージを開始通信ノードから受信する通信ノード、又は、位置関連判定手順の開始に関する要求を開始通信ノードから受信する通信ノードである。
【００１７】
第１実施形態によると、開始通信ノード１１０及び応答通信ノード１２０は、無線通信局（ＳＴＡ）である。これは、ピアツーピアＷｉ−Ｆｉ通信ネットワークの場合であり得る。
【００１８】
図２は、開始通信ノード１１０がＷｉ−Ｆｉアクセスポイント１３０であり、応答通信ノード１２０がＳＴＡ１４０である、或いは、その逆である、別の実施形態を示している。
【００１９】
ＩＥＥＥ８０２．１１においては、Ｗｉ−Ｆｉ通信を行うことができる様々な周波数帯域がある。例えば、８０２．１１ａｚの周波数帯域は、サブ１ＧＨｚ、２．４ＧＨｚ、５ＧＨｚ、６０ＧＨｚである。周波数帯域が異なれば、無線伝搬特性も異なる。その結果、現在の伝搬条件に応じて、異なる測位精度が異なる周波数帯域で得られ得る。また、異なる周波数帯域で利用可能な帯域幅も異なり得る。これは、Ｒ．Ｖａｕｇｈａｎｅｔａｌ"移動通信のチャネル、伝搬、及びアンテナ"、ＩＥＴデジタルライブラリ、２００３で説明されている。
【００２０】
Ｗｉ−Ｆｉ通信ノードの位置を決定するために使用される従来技術のＦＴＭ手順は、今日、無線通信局（ＳＴＡ）において単一の周波数帯域のみを使用する。しかしながら、将来の無線通信局は、広い周波数範囲にわたって広がる複数の周波数帯域で通信できることが期待されている。上記の様に、８０２．１１ａｚで規定されている様にＳＴＡが通信する場合、上記の４つの異なる周波数帯域、つまり、サブ１ＧＨｚ、２．４ＧＨｚ、５ＧＨｚ、６０ＧＨｚで通信できることが期待される。本発明者らは、将来のＳＴＡにおいて、ＦＴＭ手順又は他の類似の位置関連判定手順が多くの異なる周波数帯域で測定することを考慮すると、測位判定精度を改善できることを見出した。たとえば、ある瞬間において測定精度が最も高いと予想される周波数帯域が位置判定に選択される、或いは、多くの周波数帯域での位置判定測定が同時に使用される、つまり、例えば、より良い精度を達成するために、１つの重み付け位置判定値に結合される。
【００２１】
Ｗｉ−Ｆｉ通信ネットワークでより良い位置判定を達成するために使用する１つ以上の周波数帯域を選択できる様にするために、関連する無線通信ノードは、共通の通信周波数帯域をハンドシェイクする必要がある。これが完了すると、無線通信ノードの１つが、１つ以上の共通周波数帯域で、位置関連判定手順、例えば、ＦＴＭ手順の測定フェーズの開始をトリガする。位置関連判定手順のためにどの周波数帯域を選択するかは、現在の無線信号伝搬条件と、様々な共通周波数帯域の特性と、に基づいて決定され得る。
【００２２】
本発明の幾つかの実施形態によると、従来技術のＦＴＭ手順に対する様々な可能な改善が提案される。したがって、本発明の様々な実施形態を説明する前に、ＩＥＥＥ８０２．１１−２０１６パート１１に記載されている従来技術のＦＴＭ手順について説明する。
【００２３】
ＩＥＥＥ８０２．１１は、Ｗｉ−Ｆｉノード間の距離を測定するためのＦＴＭ手順を規定している。手順は、３つのフェーズ、つまり、交渉フェーズ、測定交換フェーズ、終了フェーズで構成される。従来技術の交渉フェーズ及び測定交換フェーズが図３に記載されている。
【００２４】
従来技術のＦＴＭ手順の交渉フェーズは、開始ノードが初期ＦＴＭ要求フレーム２．１を応答ノードに送信することによって開始される。初期ＦＴＭ要求フレームは、図４に示す従来技術のＦＴＭパラメータフィールドフォーマットを含む。ＦＴＭパラメータフィールドは、次の測定交換フェーズで送信されるＦＴＭバーストの数及びバースト持続期間を記述するスケジューリングパラメータを含んでいる。開始ノードは、図４のビットＢ５０〜Ｂ５５のフォーマット及び帯域幅フィールドで、開始ノードがサポートするフォーマット及び帯域幅も示す。従来技術のＦＴＭパラメータフィールドのフォーマット及び帯域幅フィールドの詳細を図５に示す。
【００２５】
初期ＦＴＭ要求２．１に応答して、応答ノードはＡＣＫフレーム２．２を送信し、続いて最初のＦＴＭフレーム２．３、つまり初期ＦＴＭフレームを開始ノードに返送する。ＦＴＭフレームは、ＦＴＭパラメータフィールドも含む。応答ノードが同じフォーマット及び帯域幅をサポートしている場合、応答ノードは、最初のＦＴＭフレーム２．３のフォーマット及び帯域幅フィールドのフォーマット及び帯域幅を、ＦＴＭ要求フレーム２．１と同じに設定する。応答ノードが同じフォーマット及び帯域幅をサポートしていない場合、応答ノードは要求された構成を上書きし得る。ただし、応答ノードは、要求されたよりも広い帯域幅を示してはいけない。方向性マルチギガビット（ＤＭＧ）、高スループット（ＨＴ）混合フォーマット、又は、非ＨＴフォーマットが要求された場合、応答ノードは、ベリーハイスループット（ＶＨＴ）フォーマットを示してはいけいない。ＤＭＧ又は非ＨＴフォーマットが要求された場合、応答ノードはＨＴフォーマットを示してはいけない。ＶＨＴ、ＨＴ混合、或いは、非ＨＴフォーマットが要求された場合、応答ノードはＤＭＧフォーマットを示してはいけない。ＩＥＥＥ８０２．１１−２０１６のＦＴＭ手順のセクション１１．２４．６．３を参照のこと。交渉フェーズは、開始ノードから応答ノードに送信されるＡＣＫ２．４によって終了する。
【００２６】
図３に示す様に、測定交換フェーズでは、ＦＴＭバーストと呼ばれるタイムウィンドウの間にＦＴＭフレームが送信される。ＦＴＭバーストは、交渉フェーズで合意されたスケジューリング構成によって定義される。測定交換フェーズは、開始ノードが、応答ノードへのトリガとして機能するＦＴＭ要求２．５を応答ノードに送信することで開始される。ＦＴＭ要求２．５は、バーストの開始時に、開始ノードがバーストインスタンスのリマインダに使用できることを応答ノードに示すための測定要求要素なしで送信される。次に、応答ノードは、ＦＴＭフレームが送信された時点の情報と、送信したＦＴＭフレームの応答として開始ノードから受信されたそれぞれのＡＣＫ２．８、２．１０が受信された時点の情報と共に、複数のＦＴＭフレーム２．７、２．９を送信する。タイミング情報は、応答ノードと開始ノードとの間の距離を判定するために使用される信号が移動する期間を決定するために、開始ノードがＦＴＭフレーム２．７、２．９を受信してＡＣＫ２．８、２．１０を送信したときのタイミング情報と共に開始ノードによって使用される。
【００２７】
多くの連続したバーストがあり、それぞれが送信された複数のＦＴＭフレームとＡＣＫを含む。最後のバーストが終了すると、ＦＴＭセッションが終了する。開始ノードと応答ノードの両方が、特定の事前定義された構成のＦＴＭフレームを送信することにより、ＦＴＭセッションを終了できる。
【００２８】
以下、本発明の様々な実施形態について説明する。図１と組み合わせた図６は、Ｗｉ−Ｆｉ通信ネットワーク１００における測位判定を容易にするために開始通信ノード１１０によって実行される方法を示している。Ｗｉ−Ｆｉ通信ネットワークは、開始通信ノード１１０と、開始通信ノード１１０と無線通信する応答通信ノード１２０と、を含む。本方法は、位置関連判定手順を開始する要求を応答通信ノード１２０に送信する（２０２）ことと、開始通信ノード１１０が通信できる第１の複数の周波数帯域の情報を応答通信ノード１２０に送信する（２０４）ことと、を含む。本方法は、応答通信ノード１２０から、応答通信ノード１２０が通信できる第２数の周波数帯域に関連した第２情報を受信する（２０６）ことと、受信した第２情報に基づいて位置関連判定手順の開始をトリガする（２０８）ことと、をさらに含み、その結果、位置関連判定手順は、第１の複数の周波数帯域及び第２数の周波数帯域の両方にある第３数の周波数帯域の少なくとも１つで実行される。
【００２９】
位置関連判定手順は、開始通信ノードと応答通信ノードの間で実行される。位置関連判定手順は、開始通信ノードと応答通信ノードとの間で信号を送信することによって実行される手順であり、この信号は、開始通信ノードの位置及び／又は応答通信ノードの位置を決定するために使用される。そのような位置関連判定手順の例は、ＦＴＭベース手順の測定交換フェーズである。別の例は、ＴｏＦ手順であり、開始通信ノードと応答通信ノードとの間で信号を無線で送信するための時間が、開始通信ノードと応答通信ノードとの間の距離を決定するために使用される。ＴｏＦ判定はＦＴＭで使用され得る。開始通信ノードと応答通信ノードの間のＦＴＭ又はＴｏＦ測定値は、他の通信ノードから例えば開始通信ノードに送信された信号の同様の測定値と共に使用され、例えば、三角測量を使用して開始通信ノードの位置が判定される。位置関連判定手順の開始トリガは、トリガメッセージを応答通信ノードに送信することによって実行され得る。トリガメッセージは、第３周波数帯域の少なくとも１つを含み得る。第３数の周波数帯域が第１の複数の周波数帯域と第２数の周波数帯域の両方にあるとは、数学的集合論で定義される様に、第３数の周波数帯が第１の複数の周波数帯域と第２数の周波数帯域の共通集合であることを意味する。一実施形態によると、記載された方法は、従来技術のＦＴＭ手順の交渉フェーズの改良された変形である。
【００３０】
この様な方法により、開始通信ノード及び応答通信ノードのいずれも、両方が通信できる周波数帯域、すなわち、それらが共通して有する周波数帯域を決定することが可能になる。共通の周波数帯域は、ＦＴＭなどの位置関連判定手順に使用され得る。通信ノードが複数の周波数帯域を共通して有する場合、ハンドシェイク手順により、複数の周波数帯域を使用できる様になり、より良い位置決定が可能になる。例えば、第１と第２の周波数帯域が開始通信ノードと応答通信ノードで共通である場合、最初のＦＴＭ手順で第１の周波数帯域を使用すると、開始通信ノードと応答通信ノード間の第１測定距離が得られ、第２のＦＴＭ手順で第２の周波数帯域に使用すると、開始通信ノードと応答通信ノードとの間の第２測定距離が得られる。そして、第１及び第２測定距離の平均値が、開始通信ノードと応答通信ノードとの間の距離の決定された値とされ得る。もちろん、第１及び第２測定距離に対する異なる重みの様な他の代替案が、距離の決定された値として使用され得る。共通する周波数帯域が多いほど、つまり異なる周波数帯域で測定できる数が多いほど、決定された距離の精度が高くなる。別の可能性は、開始通信ノード又は応答通信ノードが、それらが共通に有する周波数帯域の１つを選択して、位置関連判定に使用することである。例えば、異なる伝送品質、例えば、異なる伝送強度に応じて、ある周波数帯域が他の周波数帯域よりも優れている場合がある。
【００３１】
一実施形態によると、位置関連判定手順は、ＦＴＭ手順の測定交換フェーズであり、開始通信ノード１１０が通信できる第１の複数の周波数帯域の情報が、ＦＴＭパラメータフィールドフォーマットで送信される。
【００３２】
この実施形態の変形例によると、第１の複数の周波数帯域の情報は、第１の複数の周波数帯域の情報に専用のＦＴＭパラメータフィールドフォーマットのビットで送信される。例えば、ＩＥＥＥ８０２．１１−２０１６の従来技術のＦＴＭパラメータフィールドフォーマットは、専用ビットとなる、例えば４ビットの複数の新しいビットで拡張され得る。一例によると、専用ビットは、拡張ＦＴＭパラメータフィールドフォーマットのビットＢ７２〜Ｂ７５であり得る。第１の複数の周波数帯域の情報のための専用ビットを有することにより、開始通信ノードは、どの周波数帯域を介して通信できるかを応答通信ノードに容易にシグナリングすることができる。
【００３３】
一実施形態によると、この方法は、応答通信ノード１２０に、Ｗｉ−Ｆｉ通信ネットワークにおける測位判定を容易にするための方法が使用されるべきかどうかの表示を送信する（２０３）ことをさらに含み得る。その様な表示を送信することにより、応答ノードは、受信した要求に応じて、この発明の方法を使用するか、ＩＥＥＥ８０２．１１−２０１６に基づく既存のＦＴＭ方式の交渉フェーズなどの従来の方法を使用するかを容易に検出する。
【００３４】
一実施形態によると、表示は、ＦＴＭパラメータフィールドフォーマットの既存のビットで送信（２０３）される。従来技術のＦＴＭパラメータフィールドフォーマットに既に存在するビットを使用することにより、従来技術の方法又は本発明の方法を使用するかどうかを示すために追加のデータを送信する必要はない。一実施形態によると、既存ビットは、ＦＴＭパラメータフィールドフォーマットのビットＢ７である。ビットＢ７は、今の所、使用されない予約ビットである。
【００３５】
一実施形態によると、受信（２０６）された第２情報は、応答通信ノード１２０が通信できる第２数の周波数帯域の情報である。この実施形態において、応答通信ノードは、通信可能な周波数帯域（第２周波数帯域と呼ばれる）を開始通信ノードに通知し、開始通信ノードは、第３周波数帯域、つまり共通する周波数帯域の総て又は一部を通信のために選択する。
【００３６】
この実施形態の変形形態によると、位置関連判定手順は、ＦＴＭ手順の測定交換フェーズであり、開始通信ノード１２０が通信できる第２数の周波数帯域の情報が、ＦＴＭパラメータフィールドフォーマットで受信される。一実施形態によると、第２数の周波数帯域の情報は、第２数の周波数帯域の情報に専用のＦＴＭパラメータフィールドフォーマットのビットで受信される。ＩＥＥＥ８０２．１１−２０１６の従来技術のＦＴＭパラメータフィールドフォーマットは、専用ビットとなる、例えば４ビットの複数の新しいビットで拡張され得る。専用ビットは、拡張ＦＴＭパラメータフィールドフォーマットのビットＢ７２〜Ｂ７５であり得る。
【００３７】
一実施形態によると、開始通信ノード１１０は無線通信局１３０であり、応答通信ノード１２０はアクセスポイント１４０である。さらに、アクセスポイントから受信された第２情報は、第３数の周波数帯域の少なくとも１つで位置関連判定手順の開始をトリガするための無線通信局１３０への命令を含み、命令は、第３数の周波数帯域の少なくとも１つの情報を含む。これにより、アクセスポイント１４０であるときの応答ノード１２０は、位置関連判定手順にどの共通周波数帯域を使用するかを決定することができる。アクセスポイントは、第１の複数の周波数帯域の情報を、第２数の周波数帯域に関する自身の知識と比較し、第３数の共通周波数帯域を決定する。次に、アクセスポイントは、開始ノードに、共通の第３周波数帯の１つ以上を使用して通信を開始する様に指示する。
【００３８】
この実施形態の変形形態によると、位置関連判定手順は、ＦＴＭ手順の測定交換フェーズである。さらに、第３数の周波数帯域の少なくとも１つの情報は、ＦＴＭパラメータフィールドフォーマットで受信される。ＦＴＭパラメータフィールドフォーマットは、例えば、ＦＴＭ＿１フレームで受信され得る。一例によると、第３数の周波数帯域の少なくとも１つの情報は、ＦＴＭパラメータフィールドフォーマットのフォーマット及び帯域幅フィールドで受信される。従来技術のＩＥＥＥ８０２．１１仕様には、将来の使用のために予約されているフォーマット及び帯域幅フィールドの幾つかのフィールド値がある。その様なフィールド値を使用することにより、既存のフォーマット及び帯域幅サイズが再利用され得る。一実施形態によると、ＦＴＭパラメータフィールドフォーマットのフォーマット及び帯域幅フィールドのフィールド値３３〜４８は、無線通信局が位置関連判定手順の開始をトリガするために使用する周波数帯域の最大１６の異なる組み合わせのどれを使用するかを示すために使用され得る。
【００３９】
この実施形態の別の変形形態によると、第３数の周波数帯域の少なくとも１つは、位置関連判定手順に使用するのに最適な周波数帯域であると決定された第３数の周波数帯域の１つである。どの帯域が"位置関連判定手順に使用するのに最適な周波数帯域"であるかは、多くの異なる方法で決定され得る。例えば、最高の信号品質を有する周波数帯域が、最適の帯域であると決定され得る。あるいは、送信容量の最も空いている帯域であり得る。アクセスポイントは、どの第３周波数かを決定し得る。一実施形態によると、最適な第３周波数帯域の情報は、ＦＴＭ手順のＡＣＫメッセージでアクセスポイントから受信され、ＡＣＫメッセージは、ＦＴＭ手順の測定交換フェーズを開始するために送信された要求に応答して受信される。例えば、ＡＣＫフレームのフレーム制御フィールドは、最適な第３周波数帯域の情報を送信するために使用され得る。より具体的には、ＩＥＥＥ８０２．１１で定義されたＡＣＫフレームのフレーム制御フィールドのプロトコルバージョンサブフィールドを使用することができ、プロトコルバージョンフィールドは２ビットを含み得る。
【００４０】
別の変形例によると、アクセスポイントからの指示は、位置関連判定手順のためだけに第３周波数帯域を使用することを含む。第３周波数帯域が位置関連判定手順専用に使用されることは、第３周波数帯域が、データや制御メッセージといった、位置関連判定手順以外の目的で使用されないことを意味する。
【００４１】
図１と組み合わせた図７は、Ｗｉ−Ｆｉ通信ネットワーク１００における測位判定を容易にするために応答通信ノード１２０によって実行される方法を示している。Ｗｉ−Ｆｉ通信ネットワークは、応答通信ノード１２０と、応答通信ノード１２０と無線通信する開始通信ノード１１０と、を含む。本方法は、位置関連判定手順を開始する要求を開始通信ノード１１０から受信（３０２）することと、開始通信ノード１１０が通信できる第１の複数の周波数帯域の情報を開始通信ノード１１０から受信（３０４）することと、を含む。本方法は、開始通信ノードが位置関連判定手順を開始する周波数帯域に関連し、第１の複数の周波数帯域の情報と、応答通信ノード１２０が通信できる第２数の周波数帯域の情報とに基づく第２情報を開始通信ノード１１０に送信する（３０６）ことと、開始通信ノード１１０から、第１の複数の周波数帯域と第２数の周波数帯域の両方にある第３数の周波数帯域の少なくとも１つで位置関連判定手順の開始をトリガするメッセージを受信する（３０８）ことと、をさらに含む。
【００４２】
一実施形態によると、位置関連判定手順は、ＦＴＭ手順の測定交換フェーズであり、開始通信ノード１１０が通信できる第１の複数の周波数帯域の情報は、ＦＴＭパラメータフィールドフォーマットで受信される。
【００４３】
他の実施形態によると、第１の複数の周波数帯域の情報は、第１の複数の周波数帯域の情報に専用のＦＴＭパラメータフィールドフォーマットのビットで受信される（３０４）。
【００４４】
他の実施形態によると、この方法は、開始通信ノード１１０から、Ｗｉ−Ｆｉ通信ネットワークにおける測位判定を容易にするための方法が使用されることの表示を受信する（３０３）ことをさらに含み得る。表示は、ＦＴＭパラメータフィールドフォーマットの既存のビットで受信される（３０３）。
【００４５】
他の実施形態によると、送信（３０６）された第２情報は、応答通信ノード１２０が通信できる第２数の周波数帯域の情報である。
【００４６】
他の変形形態によると、位置関連判定手順は、ＦＴＭ手順の測定交換フェーズであり、応答通信ノード１２０が通信できる第２数の周波数帯域の情報は、ＦＴＭパラメータフィールドフォーマットで送信される。第２数の周波数帯域の情報は、第２数の周波数帯域の情報に専用のＦＴＭパラメータフィールドフォーマットのビットで送信され得る。
【００４７】
一実施形態によると、開始通信ノード１１０は無線通信局１３０であり、応答通信ノード１２０はアクセスポイント１４０である。さらに、アクセスポイントにより送信（３０６）された第２情報は、第３数の周波数帯域の少なくとも１つで位置関連判定手順の開始をトリガするための無線通信局１３０への命令を含み、命令は、第３数の周波数帯域の少なくとも１つの情報を含む。
【００４８】
他の実施形態によると、位置関連判定手順は、ＦＴＭ手順の測定交換フェーズであり、第３数の周波数帯域の少なくとも１つの情報は、ＦＴＭパラメータフィールドフォーマットで送信される。第３数の周波数帯域の少なくとも１つの情報は、ＦＴＭパラメータフィールドフォーマットのフォーマット及び帯域幅フィールドで送信され得る。第３数の周波数帯域の少なくとも１つは、位置関連判定手順に使用するのに最適な周波数帯域であると決定された第３数の周波数帯域の１つである。
【００４９】
一実施形態によると、最適な第３周波数帯域の情報は、ＦＴＭ手順のＡＣＫメッセージで無線通信局１３０に送信され、ＡＣＫメッセージは、ＦＴＭ手順の測定交換フェーズを開始するために受信された要求に応答して送信される。
【００５０】
別の実施形態によると、無線通信局１３０への命令は、位置関連判定手順のためだけに第３周波数帯域を使用することを含む。
【００５１】
以下において、本発明の例示的な実施形態は、ＩＥＥＥ８０２．１１標準に基づくＷｉ−Ｆｉ技術を使用して説明される。これらの実施形態は、図３から図５に記載された従来技術のＦＴＭ手順の交渉フェーズへの変更を提案する。
【００５２】
第１実施形態では、開始ノードと応答ノードが、位置決定のため、共通に有する総ての周波数帯域、つまり開始ノードと応答ノードの両方が通信できる周波数帯域を使用すると決定される。あるいは、２つ以上の共通の周波数帯域が使用される。この第１実施形態は、開始通信ノード及び応答通信ノード間の通信インターフェースで十分な通信リソースが利用可能であるとき、通信ノードが総ての共通周波数帯域で送受信でき、電力によって制限されないとき、つまり、バッテリ電力不足又はその他のリソース不足が無いときに有利である。各周波数帯のトラフィック状況により、位置推定にかかる時間は周波数帯毎に大きく異なり得る。例えば、特定の周波数帯域が多くのＳＴＡによって使用されている場合、特定の周波数帯域が少数のＳＴＡによって使用されている場合よりも、開始ＳＴＡが特定の周波数帯域にアクセスしてＦＴＭ手順全体を実行するのに時間がかかる。さらに、各周波数帯域は、特定の定位精度を提供する。この実施形態の変形例によると、異なる周波数帯域から推定された位置を、重み付けされた平均としてマージすることができ、ここで、例えば、重みは、個々の周波数帯域の推定精度に依存する。
【００５３】
開始ノード及び応答ノードが共通に有する周波数帯域でハンドシェイクするために、図３から図５に記載された従来技術のＦＴＭプロトコルに対する拡張が提案される。一実施形態によると、マルチバンドＦＴＭ手順の特定の表示は、ＦＴＭ交渉フェーズの間に初期ＦＴＭ要求フレーム２．１（図３）で送信される。この新しいマルチバンドＦＴＭ手順が使用されるか、従来技術のＦＴＭ手順が使用されるかどうかの表示を挿入することにより、図４に記載されている従来技術のＦＴＭパラメータフィールドを修正することが提案される。また、どの周波数帯域を使用できるかの表示も挿入される。マルチバンドを有効にするこのような修正されたＦＴＭパラメータフィールドの設計例を図８に示す。マルチバンドを有効にする修正されたＦＴＭパラメータフィールドを、以下では、マルチバンド（ＭＢ）ＦＴＭパラメータフィールドと呼ぶ。この新しいフィールドは、どちらも可変サイズでオプションであると定義されているため、従来のＦＴＭパラメータフィールドと後方互換性を有する。
【００５４】
図８と図４とを比較すると分かる様に、ＭＢフラグ（ＭＢ）がビットＢ７として挿入されており、これは従来技術では"予約"ビットである。ＭＢフラグは、ＭＢ  ＦＴＭを可能にする新しいプロセスが使用されるべきか、従来技術のＦＴＭプロセスが使用されるべきかの表示である。信号を受信する通信ノードのデコーダは、ビットＢ７をチェックすることにより、ＭＢ  ＦＴＭパラメータフィールドと従来のＦＴＭパラメータフィールドとを区別できる。Ｂ７＝１の場合、ＭＢ−ＦＴＭパラメータフィールドが受信され、Ｂ７＝０の場合、ＦＴＭパラメータフィールドが受信される。
【００５５】
ＭＢ能力ビットＢ７情報は、通信ノードが複数の周波数帯域で送受信できるかどうかを示す。ＩＥＥＥ８０２．１１ａｚ、ＴＧａｚを例にとると、通信ノードは総てのＴＧａｚキャリア周波数（つまり、サブＧＨｚ、２．４ＧＨｚ、５ＧＨｚ、６０ＧＨｚ）、或いは、それらのサブセットのみでの送信をサポートする。通信ノードがサポートするキャリア周波数は、ＭＢ−ＦＴＭパラメータフィールドでシグナリングされる。一例によると、これは、図８に示される様に、ビットＢ７２及びＢ７５によってシグナリングされる。これらのビットは、従来技術のＦＴＭパラメータフィールドと比較して新規のビットである。ＴＧａｚの例に戻ると、４つのキャリア周波数の総てが使用可能な場合、考慮すべき２４＝１６の順列があるため、この情報を伝達するには４ビットが必要である。図９のテーブルは、ビットシーケンスＢ７２〜Ｂ７５の可能な選択肢と、対応する意味と、を示している。ビットＢ７＝０の場合、追加のビットＢ７２〜Ｂ７５はまったく送信されないことに注意されたい。
【００５６】
結果、このＭＢ  ＦＴＭプロセスが、図３に記載された従来技術のＦＴＭ手順で使用されるとき、開始ノードはその初期ＦＴＭ要求２．１で、ビットＢ７＝１であるＭＢ  ＦＴＭパラメータフィールドを送信する。これは、開始ノードが複数の周波数帯域をサポートし、新しいマルチバンドＦＴＭプロセスを使用したいことを示している。ＭＢ  ＦＴＭパラメータフィールドは、例えば００１１に設定されたビットＢ７２〜Ｂ７５をさらに含み、これは、開始ノードが５ＧＨｚ及び６０ＧＨｚをサポートすることを意味する（図９を参照）。応答ノードは、ＭＢ  ＦＴＭパラメータフィールドを使用してＦＴＭ＿１２．３で応答し、応答ノードは、ＭＢ  ＦＴＭプロセス（Ｂ７＝１）を使用することに同意し、ビットＢ７２〜Ｂ７５は、例えば、２．４、５、６０ＧＨｚをサポートすることを示す０１１１に設定される。開始ノードがＦＴＭ＿１を受信すると、例えば、ノードが共通に持つ周波数帯域、つまり５ＧＨｚと６０ＧＨｚを使用することを決定できる。測定交換フェーズに入るときに使用するために選択された周波数帯域は、ＦＴＭ要求２．５で示され得る。
【００５７】
第２実施形態において、開始通信ノードは、位置決定のため、開始ノードと応答ノードの両方がサポートする周波数帯域の内の"最適"なサブセットのみを使用すると決定する。最適なサブセットは、１つ以上の周波数帯域を含み得る。"最適"なサブセットは、以下の様な種々の要因に基づいて選択され得る。
−応答ノードと開始ノードの間に、見通し内（ＬＯＳ）又は見通し外（ＮＬＯＳ）の条件があるか否かに応じて、異なる帯域の方が適し得る。通常、周波数が低いほど透過（貫通）能力が高くなり、周波数が高いほど反射する傾向が大きくなる。
−精度が要求される。固有のチャネル伝搬特性により、帯域によって精度が異なる。ここでの主な要因は、使用可能なチャネル帯域幅である。帯域幅が広いほど、精度が高くなる。
−各帯域のシステム負荷、つまりトラフィック及び／又は干渉状態：ＳＴＡは、リッスンビフォアトーク（ＬＢＴ）プロトコルを使用して周波数帯域にアクセスし、他のＳＴＡ、ＡＰ、又は、アンカーとメッセージを交換する、或いは、トラフィック又は干渉が非常に密集している場合、ポジショニング操作も遅くなる。アンカーは、通信のためではなく、位置決めに使用される、既知の位置を持つセンサノードである。その結果、ＳＴＡは、混雑が少なく、干渉を受けない帯域で動作することを好む。
−特定の周波数帯域で送受信するデバイス能力、様々な周波数帯域でのメッセージ交換のための他のＡＰ又はＳＴＡ又はアンカーの可用性。デバイスは、特定の利用可能な周波数帯域で送信できる場合と送信できない場合がある。別の制限は、位置決定のためにパケット交換が必要な他のデバイスが無いことである。
【００５８】
この第２実施形態において、一実施形態によると、開始通信ノードはＳＴＡであり、応答通信ノードはＡＰであり得る。ＦＴＭ交渉フェーズ中に、ＳＴＡは、ＡＰから、ＳＴＡがＦＴＭ測定交換に使用すべき周波数帯域のガイダンスを受信する。ＡＰは、元のＦＴＭ要求が行われた周波数とは異なるＦＴＭ手順の周波数帯のセット（おそらく単一の周波数帯）にＳＴＡを誘導し得る。例えば、初期ＦＴＭ要求において、ＳＴＡは通信できる周波数帯域を通知し、ＡＰは、これらの周波数帯域のどれにおいてＦＴＭ測定交換を行うかの指示と共に、例えば、ＦＴＭ＿１で応答する。
【００５９】
上記の様に、ＦＴＭ測定交換が実行される周波数帯域でＡＰからＳＴＡに送信される情報は、交渉フェーズ（図３）で送信されるＦＴＭ＿１２．３で搬送され得る。可能な使用法は以下の通りである。交渉フェーズにおいて、ＡＰは受信した初期ＦＴＭ要求２．１に応じて、ＦＴＭパラメータフィールド（図４）を含むＦＴＭ＿１をＳＴＡに送信し、これは、フォーマット及び帯域幅フィールド（図５）を含む従来のＦＴＭパラメータフィールドのビットＢ５０〜Ｂ５５である。図５から分かる様に、従来技術のフォーマット及び帯域幅フィールドには、将来の使用のために"予約"されている多数のフィールド値がある。例えば、フィールド値１７〜３０及び３２〜６３は予約されている。これらのフィールド値のいずれかを使用して、ＡＰは、ＦＴＭ測定交換フェーズの周波数帯域の特定のサブセットにＳＴＡを誘導することができる。例えば、フィールド値３３〜４８を使用すると、ＦＴＭ測定交換フェーズのために、開始要求でサポートするとＳＴＡがＡＰに通知した周波数帯域の１つ又は幾つかにＡＰがＳＴＡを誘導できる。ＴＧａｚの様に４つのキャリア周波数、つまり、サブＧＨｚ、２．４ＧＨｚ、５ＧＨｚ、６０ＧＨｚが利用可能な場合、２４＝１６の順列を考慮する必要がある。１６のフィールド値の幾つかと、可能な意味を図１０に示す。
【００６０】
第３実施形態において、開始通信ノードは、位置決定のため、開始ノードと応答ノードの両方がサポートする"最適"な１つの周波数帯域のみを使用すると決定する。したがって、第３実施形態は、その文脈において、第２実施形態と同様である。しかしながら、今回は１つの周波数帯域のみが選択され、第２実施形態では、選択された最適な周波数帯域のサブセットは、１つ又は複数の周波数帯域である可能性がある。"最適"な周波数帯域は、例えば、第２実施形態で述べた要因のいずれかに基づいて選択される。
【００６１】
この第３実施形態において、開始通信ノードはＳＴＡであり、応答通信ノードはＡＰであり得る。ＦＴＭ交渉フェーズ中に、ＳＴＡは、ＡＰから、ＳＴＡがＦＴＭ測定交換に使用すべき周波数帯域のガイダンスを受信する。ＡＰは、ＳＴＡがサポートすることを示した周波数帯域の単一の周波数帯域に、ＦＴＭ手順のためにＳＴＡを誘導する。初期ＦＴＭ要求では、ＳＴＡは通信できる周波数帯域を通知し、ＡＰは、これらの周波数帯域のどれにおいてＦＴＭ測定交換を行うかについての指示と共に、例えば、ＡＣＫメッセージ２．２（図３）で応答する。従来技術のＡＣＫメッセージのフォーマットを図１１に示す。ＡＣＫメッセージのＭＡＣヘッダは、２オクテット、つまり１６ビットのフレーム制御フィールドを有する。フレーム制御フィールドのサブフィールドを図１２に示す。現在、フレーム制御フィールドの最初の２ビット、つまりＢ０とＢ１は、プロトコルバージョンを示すために使用されている。これらの２つのビットは、現在、デフォルトで００に設定される。これは、ＩＥＥＥ８０２標準の新しいリビジョンと前のエディションとの間に根本的な非互換性が存在する場合にのみ変更されるが、現在までに生じたことはない。したがって、第３実施形態の代替案によると、ＡＰが２つのプロトコルバージョンビットを使用して、どの周波数をＳＴＡがＦＴＭ測定交換フェーズで使用すべきかをＳＴＡにガイダンスすることが提案される。ＡＰは、ＴＧａｚの例では、図１３に示される例に従って、ＳＴＡを異なる周波数に誘導することができる。ここに示す様に、ビットＢ０及びＢ１のビット値００は、ＳＴＡが測定交換フェーズにサブＧＨｚ周波数帯域を使用することを意味し、ビット値０１は、ＳＴＡが２．４ＧＨｚ周波数帯域を使用すること等を意味する。選択できる４つの周波数帯域があり、ＡＰがＳＴＡに測定交換フェーズに１つの周波数帯域のみを使用する様に指示する場合、選択肢は４つしかないため、ＡＰはＡＣＫメッセージのこれらの２ビットを使用できる。ＦＴＭ−１の代わりに既存のＡＣＫメッセージを使用することで、ＦＴＭ−１フレームにフィールドを追加する必要はない。
【００６２】
第４実施形態によると、１つの周波数帯域は、排他的な位置決め目的に専用であり、他の周波数帯域は、他の目的、例えば、データ及び制御メッセージに使用される。第４実施形態において、開始通信ノードはＳＴＡであり、応答通信ノードはＡＰであり得る。ＦＴＭ手順のために、ＳＴＡから受信したＦＴＭ要求に応じて、ＡＰは特定の周波数帯域を選択し、この周波数帯域は、特定の状況で、例えば見通し内、利用可能な帯域幅、デバイス機能、伝播状態（パス損失、フェージング等）などの点において、位置決めニーズを最もよくサポートする。次に、ＡＰは、特定の領域のどの帯域が測位用に予約されているかをＳＴＡに通知する。これは、第３実施形態で説明したのと同様の方法で実行することができる。例えば、ＡＣＫフレームのフレーム制御サブフィールド（図１２）の２ビットのプロトコルバージョンフィールドを使用して、ＦＴＭ測定交換フェーズにどの周波数帯域を使用するかを通知できる。図１３と同じ例がこの目的に使用され得る。
【００６３】
図１と組み合わせた図１４は、Ｗｉ−Ｆｉ通信ネットワーク１００で動作可能な開始通信ノード１１０を示し、Ｗｉ−Ｆｉ通信ネットワークは、開始通信ノード１１０と、開始通信ノード１１０と無線通信する様に構成された応答通信ノード１２０と、を備える。開始通信ノード１１０は、プロセッサ６０３と、メモリ６０４と、を備える。メモリは、プロセッサにより実行される命令を含み、これにより、開始通信ノード１１０は、位置関連判定手順を開始する要求を応答通信ノード１２０に送信し、開始通信ノード１１０が通信できる第１の複数の周波数帯域の情報を応答通信ノード１２０に送信する様に動作する。開始通信ノード１１０は、応答通信ノード１２０から、応答通信ノード１２０が通信できる第２数の周波数帯域に関連した第２情報を受信し、受信した第２情報に基づいて位置関連判定手順の開始をトリガする様にさらに動作し、その結果、位置関連判定手順は、第１の複数の周波数帯域及び第２数の周波数帯域の両方にある第３数の周波数帯域の少なくとも１つで実行される。
【００６４】
一実施形態によると、位置関連判定手順は、ＦＴＭ手順の測定交換フェーズであり、開始通信ノード１１０は、開始通信ノード１１０が通信できる第１の複数の周波数帯域の情報を、ＦＴＭパラメータフィールドフォーマットで送信する様に動作する。さらに、開始通信ノード１１０は、第１の複数の周波数帯域の情報を、第１の複数の周波数帯域の情報に専用のＦＴＭパラメータフィールドフォーマットのビットで送信する様に動作し得る。
【００６５】
他の実施形態によると、第２情報は、応答通信ノード１２０が通信できる第２数の周波数帯域の情報である。さらに、位置関連判定手順は、ＦＴＭ手順の測定交換フェーズであり、開始通信ノード１１０は、応答通信ノード１１０が通信できる第２数の周波数帯域の情報を、ＦＴＭパラメータフィールドフォーマットで受信する様に動作し得る。さらに、開始通信ノード１１０は、第２数の周波数帯域の情報を、第２数の周波数帯域の情報に専用のＦＴＭパラメータフィールドフォーマットのビットで受信する様に動作し得る。
【００６６】
図２を更に参照する他の実施形態によると、開始通信ノード１１０は無線通信局１３０であり、応答通信ノード１２０はアクセスポイント１４０である。さらに、無線通信局１３０がアクセスポイント１４０から受信する様に動作する第２情報は、第３数の周波数帯域の少なくとも１つで位置関連判定手順の開始をトリガするための無線通信局１３０への命令を含み、命令は、第３数の周波数帯域の少なくとも１つの情報を含む。この実施形態の変形形態によると、位置関連判定手順は、ＦＴＭ手順の測定交換フェーズであり、無線通信局１３０は、第３数の周波数帯域の少なくとも１つの情報を、ＦＴＭパラメータフィールドフォーマットで受信する様に動作する。さらに、開始通信ノード１１０は、第３数の周波数帯域の少なくとも１つの情報を、ＦＴＭパラメータフィールドフォーマットのフォーマット及び帯域幅フィールドで受信する様に動作し得る。
【００６７】
別の実施形態によると、第３数の周波数帯域の少なくとも１つは、位置関連判定手順に使用するのに最適な周波数帯域であると決定された第３周波数帯域の１つである。さらに、開始通信ノード１１０は、最適な第３周波数帯域の情報を、ＦＴＭ手順のＡＣＫメッセージでアクセスポイントから受信する様に動作し、ＡＣＫメッセージは、ＦＴＭ手順の測定交換フェーズを開始するために送信された要求に応答して受信され得る。
【００６８】
別の実施形態によると、無線通信局１３０がアクセスポイントから受信する様に構成された命令は、位置関連判定手順のためだけに第３周波数帯域を使用することを含む。
【００６９】
他の実施形態によると、開始通信ノード１１０は、無線トランシーバといった、応答通信ノード１２０とのＷｉ−Ｆｉ通信のための従来の手段を含むと考えられ得る通信ユニット６０２をさらに含み得る。プロセッサ６０３によって実行可能な命令は、例えば、メモリ６０４に格納されたコンピュータプログラム６０５として構成され得る。プロセッサ６０３及びメモリ６０４は、サブアレンジメント６０１に配置され得る。サブアレンジメント６０１は、マイクロプロセッサ及び適切なソフトウェア及びストレージであり、したがって、上述の方法を実行する様に構成されたプログラマブルロジックデバイス（ＰＬＤ）又は他の電子コンポーネント／処理回路であり得る。
【００７０】
コンピュータプログラム６０５は、その命令がプロセッサで実行されるとき、開始通信ノード１１０に、開始通信ノード１１０の上述した実施形態のいずれかに記載されたステップを実行させる様に構成され得る。コンピュータプログラム６０５は、プロセッサに接続されたコンピュータプログラム製品により担持され得る。コンピュータプログラム製品は、メモリ６０４である、或いは、少なくともメモリ内に配置され得る。メモリ６０４は、例えば、ＲＡＭ（ランダムアクセスメモリ）、ＲＯＭ（読み取り専用メモリ）又はＥＥＰＲＯＭ（電気的消去可能なプログラム可能ＲＯＭ）として実現され得る。さらに、コンピュータプログラム６０５は、そこからプログラムがメモリ６０４にダウンロードされ得る、ＣＤ、ＤＶＤ又はフラッシュメモリなどの別個のコンピュータ可読媒体によって運ばれ得る。あるいは、コンピュータプログラムは、開始通信ノード１１０が通信ユニット６０２を介してアクセスするＷｉ−Ｆｉ通信ネットワークに接続されたサーバ又は他の任意のエンティティに格納され得る。次に、コンピュータプログラム６０５は、サーバからメモリ６０４にダウンロードされ得る。
【００７１】
図１と組み合わせた図１５は、Ｗｉ−Ｆｉ通信ネットワーク１００で動作可能な開始通信ノード１１０の他の実施形態を示し、Ｗｉ−Ｆｉ通信ネットワークは、開始通信ノード１１０と、開始通信ノード１１０と無線通信する様に構成された応答通信ノード１２０と、を備える。開始通信ノード１１０は、位置関連判定手順を開始する要求を応答通信ノード１２０に送信する第１送信モジュール７０４と、開始通信ノード１１０が通信できる第１の複数の周波数帯域の情報を応答通信ノード１２０に送信する第２送信モジュール７０６と、を含む。開始通信ノード１１０は、応答通信ノード１２０から、応答通信ノード１２０が通信できる第２数の周波数帯域に関連した第２情報を受信する受信モジュール７０８と、受信した第２情報に基づいて位置関連判定手順の開始をトリガするトリガ開始モジュール７１０と、をさらに備え、その結果、位置関連判定手順は、第１の複数の周波数帯域及び第２数の周波数帯域の両方にある第３数の周波数帯域の少なくとも１つで実行される。開始通信ノード１１０は、図１４に記載された通信ユニットと同様の通信ユニット６０２をさらに含み得る。
【００７２】
図１と組み合わせた図１６は、Ｗｉ−Ｆｉ通信ネットワーク１００で動作可能な応答通信ノード１２０を示し、Ｗｉ−Ｆｉ通信ネットワークは、応答通信ノード１２０と、応答通信ノード１２０と無線通信する様に構成された開始通信ノード１１０と、を備える。応答通信ノードは、プロセッサ８０３とメモリ８０４と、を有する。メモリは、プロセッサにより実行される命令を含み、これにより、応答通信ノード１２０は、位置関連判定手順を開始する要求を応答通信ノード１１０から受信し、開始通信ノード１１０が通信できる第１の複数の周波数帯域の情報を開始通信ノード１１０から受信する様に動作する。応答通信ノード１２０は、第１の複数の周波数帯域の情報と、応答通信ノード１２０が通信できる第２数の周波数帯域の情報とに基づき、開始通信ノードが位置関連判定手順を開始する周波数帯域に関連する第２情報を開始通信ノード１１０に送信し、開始通信ノード１１０から、第１の複数の周波数帯域と第２数の周波数帯域帯の両方にある第３数の周波数帯域の少なくとも１つで位置関連判定手順の開始をトリガするメッセージを受信する様にさらに動作する。
【００７３】
一実施形態によると、位置関連判定手順は、ＦＴＭ手順の測定交換フェーズであり、応答通信ノード１２０は、開始通信ノード１１０が通信できる第１の複数の周波数帯域の情報を、ＦＴＭパラメータフィールドフォーマットで受信する様に動作する。応答通信ノード１２０は、第１の複数の周波数帯域の情報を、第１の複数の周波数帯域の情報に専用のＦＴＭパラメータフィールドフォーマットのビットで受信する様に動作し得る。
【００７４】
他の実施形態によると、第２情報は、応答通信ノード１２０が通信できる第２数の周波数帯域の情報である。さらに、位置関連判定手順は、ＦＴＭ手順の測定交換フェーズであり、応答通信ノード１２０は、応答通信ノード１２０が通信できる第２数の周波数帯域の情報を、ＦＴＭパラメータフィールドフォーマットで送信する様に動作し得る。さらに、応答通信ノード１２０は、第２数の周波数帯域の情報を、第２数の周波数帯域の情報に専用のＦＴＭパラメータフィールドフォーマットのビットで送信する様に動作し得る。
【００７５】
別の実施形態によると、開始通信ノード１１０は無線通信局１３０であり、応答通信ノード１２０はアクセスポイント１４０である。さらに、第２情報は、第３数の周波数帯域の少なくとも１つで位置関連判定手順の開始をトリガするための無線通信局１３０への命令を含み、命令は、第３数の周波数帯域の少なくとも１つの情報を含む。さらに、位置関連判定手順は、ＦＴＭ手順の測定交換フェーズであり、応答通信ノードは、第３数の周波数帯域の少なくとも１つの情報を、ＦＴＭパラメータフィールドフォーマットで送信する様に動作する。変形形態として、応答通信ノード１２０は、第３数の周波数帯域の少なくとも１つの情報を、ＦＴＭパラメータフィールドフォーマットのフォーマット及び帯域幅フィールドで送信する様に動作し得る。
【００７６】
一実施形態によると、第３数の周波数帯域の少なくとも１つは、位置関連判定手順に使用するのに最適な周波数帯域であると決定された第３周波数帯域の１つである。さらに、アクセスポイント１４０は、最適な第３周波数帯域の情報を、ＦＴＭ手順のＡＣＫメッセージで無線通信局１３０に送信する様に動作し、ＡＣＫメッセージは、ＦＴＭ手順の測定交換フェーズを開始するために受信された要求に応答して送信され得る。
【００７７】
別の実施形態によると、無線通信局１３０への命令は、位置関連判定手順のためだけに第３周波数帯域を使用することを含む。
【００７８】
他の実施形態によると、応答通信ノード１２０は、無線トランシーバといった、開始通信ノード１１０とのＷｉ−Ｆｉ通信のための従来の手段を含むと考えられ得る通信ユニット８０２をさらに含み得る。プロセッサ８０３によって実行可能な命令は、例えば、メモリ８０４に格納されたコンピュータプログラム８０５として構成され得る。プロセッサ８０３及びメモリ８０４は、サブアレンジメント８０１に配置され得る。サブアレンジメント８０１は、マイクロプロセッサ及び適切なソフトウェア及びストレージであり、したがって、上述の方法を実行する様に構成されたプログラマブルロジックデバイス（ＰＬＤ）又は他の電子コンポーネント／処理回路であり得る。
【００７９】
コンピュータプログラム８０５は、その命令がプロセッサ８０３で実行されるとき、応答通信ノード１２０に、応答通信ノード１２０の上述した実施形態のいずれかに記載されたステップを実行させる様に構成され得る。コンピュータプログラム８０５は、プロセッサ８０３に接続されたコンピュータプログラム製品により担持され得る。コンピュータプログラム製品は、メモリ８０４である、或いは、少なくともメモリ内に配置され得る。メモリ８０４は、例えば、ＲＡＭ（ランダムアクセスメモリ）、ＲＯＭ（読み取り専用メモリ）又はＥＥＰＲＯＭ（電気的消去可能なプログラム可能ＲＯＭ）として実現され得る。さらに、コンピュータプログラム８０５は、そこからプログラムがメモリ８０４にダウンロードされ得る、ＣＤ、ＤＶＤ又はフラッシュメモリなどの別個のコンピュータ可読媒体によって運ばれ得る。あるいは、コンピュータプログラムは、応答通信ノード１２０が通信ユニット８０２を介してアクセスするＷｉ−Ｆｉ通信ネットワークに接続されたサーバ又は他の任意のエンティティに格納され得る。次に、コンピュータプログラム８０５は、サーバからメモリ８０４にダウンロードされ得る。
【００８０】
図１と組み合わせた図１７は、Ｗｉ−Ｆｉ通信ネットワーク１００で動作可能な応答通信ノード１２０の他の実施形態を示し、Ｗｉ−Ｆｉ通信ネットワークは、応答通信ノード１２０と、応答通信ノード１２０と無線通信する様に構成された開始通信ノード１１０と、を備える。応答通信ノード１２０は、位置関連判定手順を開始する要求を開始通信ノード１１０から受信する第１受信モジュール９０４と、開始通信ノード１１０が通信できる第１の複数の周波数帯域の情報を開始通信ノード１１０から受信する第２受信モジュール９０６と、を含む。応答通信ノード１２０は、第１の複数の周波数帯域の情報と、応答通信ノード１２０が通信できる第２数の周波数帯域の情報とに基づき、開始通信ノードが位置関連判定手順を開始する周波数帯域に関連する第２情報を開始通信ノード１１０に送信する第１送信モジュール９０８と、開始通信ノード１１０から、第１の複数の周波数帯域と第２数の周波数帯域帯の両方にある第３数の周波数帯域の少なくとも１つで位置関連判定手順の開始をトリガするメッセージを受信する第３受信モジュール９１０と、をさらに備えている。応答通信ノード１２０は、図１６に記載された通信ユニットと同様の通信ユニット８０２をさらに含み得る。
【００８１】
提示された実施形態の少なくとも幾つかは、マルチバンドＷｉ−Ｆｉデバイスが、測位の目的で利用可能な周波数帯のセットを効果的に使用することを可能にする。Ｗｉ−Ｆｉデバイス（ＳＴＡ又はＡＰ）には、例えば、ターゲットシナリオ、トラフィック負荷、干渉、及び、伝搬条件に応じて、利用可能な周波数帯域の総て、一部、又は、１つを使用する機会が与えられる。これにより、Ｗｉ−Ｆｉデバイスは、異なる帯域の測定値を組み合わせる、位置決めのために混雑が少ない／干渉が少ない、或いは、未使用の周波数帯域を使用する、特定の伝搬条件に最適な帯域を使用するといった、様々な理由で測位精度を向上させることができる。さらに、本発明の実施形態は、位置推定に必要な時間、ひいては無線媒体の使用をある程度まで短縮することを可能にし、特定の条件下で、Ｗｉ−Ｆｉデバイスには、特定の周波数を排他的に位置特定目的で使用する機会が与えられる。これにより、位置推定に必要な時間が短縮されるため、スケーラビリティが不可欠な非常に密度の高いシナリオでメリットがある。
【００８２】
上記の説明は複数の特異性を含んでいるが、これらは、本明細書で説明される概念の範囲を限定するものとしてではなく、説明される概念の幾つかの例示的な実施形態の例示を提供するだけとして解釈されるべきである。現在説明されている概念の範囲は、当業者に明らかになる可能性がある他の実施形態を完全に包含し、したがって、現在説明されている概念の範囲はそれに応じて限定されないことを理解されたい。単数形の要素への言及は、明示的に述べられていない限り、"１つだけ"を意味することを意図しておらず、むしろ"１つ以上"を意味している。当業者に知られている上述の実施形態の要素の構造的及び機能的均等物は総て、参照により本明細書に明示的に組み込まれ、本明細書に包含されることが意図されている。さらに、本明細書に包含されるために、装置又は方法が、ここで説明される概念によって解決されることが求められるありとあらゆる問題に対処する必要はない。例示的な図では、破線は一般に、破線内の機能がオプションであることを示している。
【図１】
2021500780.tif 000003
【図２】
2021500780.tif 000004
【図３】
2021500780.tif 000005
【図４】
2021500780.tif 000006
【図５】
2021500780.tif 000007
【図６】
2021500780.tif 000008
【図７】
2021500780.tif 000009
【図８】
2021500780.tif 000010
【図９】
2021500780.tif 000011
【図１０】
2021500780.tif 000012
【図１１】
2021500780.tif 000013
【図１２】
2021500780.tif 000014
【図１３】
2021500780.tif 000015
【図１４】
2021500780.tif 000016
【図１５】
2021500780.tif 000017
【図１６】
2021500780.tif 000018
【図１７】
2021500780.tif 000019
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
Ｗｉ−Ｆｉ通信ネットワーク（１００）における測位判定を容易にするために、開始通信ノード（１１０）によって実行される方法であって、
前記Ｗｉ−Ｆｉ通信ネットワークは、前記開始通信ノード（１１０）と、前記開始通信ノード（１１０）と無線通信する応答通信ノード（１２０）と、を含み、前記方法は、
位置関連判定手順を開始する要求を前記応答通信ノード（１２０）に送信する（２０２）ことと、
前記開始通信ノード（１１０）が通信できる第１の複数の周波数帯域の情報を、前記応答通信ノード（１２０）に送信する（２０４）ことと、
前記応答通信ノード（１２０）が通信できる第２数の周波数帯域に関する第２情報を、前記応答通信ノード（１２０）から受信する（２０６）ことと、
受信した前記第２情報に基づいて、前記位置関連判定手順の開始をトリガする（２０８）ことと、
を含み、
その結果、前記位置関連判定手順が、前記第１の複数の周波数帯域及び前記第２数の周波数帯域の両方にある第３数の周波数帯域の少なくとも１つで実行される、方法。
【請求項２】
請求項１に記載の方法であって、
前記位置関連判定手順は、ＦＴＭ手順の測定交換フェーズであり、前記開始通信ノード（１１０）が通信できる前記第１の複数の周波数帯域の前記情報は、ＦＴＭパラメータフィールドフォーマットで送信される、方法。
【請求項３】
請求項２に記載の方法であって、
前記第１の複数の周波数帯域の前記情報は、前記第１の複数の周波数帯域の前記情報に専用の前記ＦＴＭパラメータフィールドフォーマットのビットで送信される、方法。
【請求項４】
請求項１から３のいずれか１項に記載の方法であって、
前記応答通信ノード（１２０）に、Ｗｉ−Ｆｉ通信ネットワークにおける測位判定を容易にするための前記方法を使用するか否かの表示を送信する（２０３）ことをさらに含む、方法。
【請求項５】
請求項４に記載の方法であって、
前記表示は、ＦＴＭパラメータフィールドフォーマットの既存ビットで送信される（２０３）、方法。
【請求項６】
請求項１から５のいずれか１項に記載の方法であって、
受信した（２０６）前記第２情報は、前記応答通信ノード（１２０）が通信できる前記第２数の周波数帯域の前記情報である、方法。
【請求項７】
Ｗｉ−Ｆｉ通信ネットワーク（１００）における測位判定を容易にするために、応答通信ノード（１２０）によって実行される方法であって、
前記Ｗｉ−Ｆｉ通信ネットワークは、前記応答通信ノード（１２０）と、前記応答通信ノード（１２０）と無線通信する開始通信ノード（１１０）と、を含み、前記方法は、
位置関連判定手順を開始する要求を、前記開始通信ノード（１１０）から受信する（３０２）ことと、
前記開始通信ノード（１１０）が通信できる第１の複数の周波数帯域の情報を、前記開始通信ノード（１１０）から受信する（３０４）ことと、
前記開始通信ノードが前記位置関連判定手順を開始する周波数帯域に関連し、前記第１の複数の周波数帯域の前記情報と、前記応答通信ノード（１２０）が通信できる第２数の周波数帯域の情報と、に基づく第２情報を、前記開始通信ノード（１１０）に送信する（３０６）ことと、
前記第１の複数の周波数帯域及び前記第２数の周波数帯域の両方にある第３数の周波数帯域の少なくとも１つで前記位置関連判定手順の開始をトリガするメッセージを、前記開始通信ノード（１１０）から受信する（３０８）ことと、
を含む方法。
【請求項８】
請求項７に記載の方法であって、
前記位置関連判定手順は、ＦＴＭ手順の測定交換フェーズであり、
前記開始通信ノード（１１０）が通信できる前記第１の複数の周波数帯域の前記情報は、ＦＴＭパラメータフィールドフォーマットで受信される、方法。
【請求項９】
請求項８に記載の方法であって、
前記第１の複数の周波数帯域の前記情報は、前記第１の複数の周波数帯域の前記情報に専用の前記ＦＴＭパラメータフィールドフォーマットのビットで受信される（３０４）、方法。
【請求項１０】
請求項７から９のいずれか１項に記載の方法であって、
前記開始通信ノード（１１０）から、Ｗｉ−Ｆｉ通信ネットワークにおける測位判定を容易にするための前記方法を使用することの表示を受信する（３０３）ことをさらに含む、方法。
【請求項１１】
請求項１０に記載の方法であって、
前記表示は、ＦＴＭパラメータフィールドフォーマットの既存ビットで受信される（３０３）、方法。
【請求項１２】
請求項７から１１のいずれか１項に記載の方法であって、
送信された（３０６）前記第２情報は、前記応答通信ノード（１２０）が通信できる前記第２数の周波数帯域の前記情報である、方法。
【請求項１３】
Ｗｉ−Ｆｉ通信ネットワーク（１００）で動作可能な開始通信ノード（１１０）であって、
前記Ｗｉ−Ｆｉ通信ネットワークは、前記開始通信ノード（１１０）と、前記開始通信ノード（１１０）と無線通信する様に構成された応答通信ノード（１２０）と、を備え、
前記開始通信ノード（１１０）は、プロセッサ（６０３）と、メモリ（６０４）と、を有し、
前記メモリは、前記プロセッサによって実行可能な命令を含み、それにより、前記開始通信ノード（１１０）は、
位置関連判定手順を開始する要求を前記応答通信ノード（１２０）に送信し、
前記開始通信ノード（１１０）が通信できる第１の複数の周波数帯域の情報を、前記応答通信ノード（１２０）に送信し、
前記応答通信ノード（１２０）が通信できる第２数の周波数帯域に関する第２情報を、前記応答通信ノード（１２０）から受信し、
受信した前記第２情報に基づいて、前記位置関連判定手順の開始をトリガする様に動作し、
その結果、前記位置関連判定手順が、前記第１の複数の周波数帯域及び前記第２数の周波数帯域の両方にある第３数の周波数帯域の少なくとも１つで実行される、開始通信ノード。
【請求項１４】
請求項１３に記載の開始通信ノード（１１０）であって、
前記位置関連判定手順は、ＦＴＭ手順の測定交換フェーズであり、
前記開始通信ノード（１１０）は、前記開始通信ノード（１１０）が通信できる前記第１の複数の周波数帯域の前記情報を、ＦＴＭパラメータフィールドフォーマットで送信する様に動作する、開始通信ノード。
【請求項１５】
請求項１４に記載の開始通信ノード（１１０）であって、
前記第１の複数の周波数帯域の前記情報を、前記第１の複数の周波数帯域の前記情報に専用のＦＴＭパラメータフィールドフォーマットのビットで送信する様に動作する、開始通信ノード。
【請求項１６】
請求項１３から１５のいずれか１項に記載の開始通信ノード（１１０）であって、
前記第２情報は、前記応答通信ノード（１２０）が通信できる前記第２数の周波数帯域の前記情報である、開始通信ノード。
【請求項１７】
請求項１６に記載の開始通信ノード（１１０）であって、
前記位置関連判定手順は、ＦＴＭ手順の測定交換フェーズであり、
前記開始通信ノード（１１０）は、前記応答通信ノード（１２０）が通信できる前記第２数の周波数帯域の前記情報を、ＦＴＭパラメータフィールドフォーマットで受信する様に動作する、開始通信ノード。
【請求項１８】
Ｗｉ−Ｆｉ通信ネットワーク（１００）で動作可能な応答通信ノード（１２０）であって、
前記Ｗｉ−Ｆｉ通信ネットワークは、前記応答通信ノード（１２０）と、前記応答通信ノード（１２０）と無線通信する様に構成された開始通信ノード（１１０）と、を備え、
前記応答通信ノード（１２０）は、プロセッサ（８０３）と、メモリ（８０４）と、を有し、
前記メモリは、前記プロセッサによって実行可能な命令を含み、それにより、前記応答通信ノード（１２０）は、
位置関連判定手順を開始する要求を、前記開始通信ノード（１１０）から受信し、
前記開始通信ノード（１１０）が通信できる第１の複数の周波数帯域の情報を、前記開始通信ノード（１１０）から受信し、
前記開始通信ノードが前記位置関連判定手順を開始する周波数帯域に関連し、前記第１の複数の周波数帯域の前記情報と、前記応答通信ノード（１２０）が通信できる第２数の周波数帯域の情報と、に基づく第２情報を、前記開始通信ノード（１１０）に送信し、
前記第１の複数の周波数帯域及び前記第２数の周波数帯域の両方にある第３数の周波数帯域の少なくとも１つで前記位置関連判定手順の開始をトリガするメッセージを、前記開始通信ノード（１１０）から受信する様に動作する、応答通信ノード。
【請求項１９】
請求項１８に記載の応答通信ノード（１２０）であって、
前記位置関連判定手順は、ＦＴＭ手順の測定交換フェーズであり、
前記応答通信ノード（１２０）は、前記開始通信ノード（１１０）が通信できる前記第１の複数の周波数帯域の前記情報を、ＦＴＭパラメータフィールドフォーマットで受信する様に動作可能である、応答通信ノード。
【請求項２０】
請求項１９に記載の応答通信ノード（１２０）であって、
前記第１の複数の周波数帯域の前記情報を、前記第１の複数の周波数帯域の前記情報に専用のＦＴＭパラメータフィールドフォーマットのビットで受信する様に動作する、応答通信ノード。
【請求項２１】
請求項１８から２０のいずれか１項に記載の応答通信ノード（１２０）であって、
前記第２情報は、前記応答通信ノード（１２０）が通信できる前記第２数の周波数帯域の前記情報である、応答通信ノード。
【請求項２２】
請求項２１に記載の応答通信ノード（１２０）であって、
前記位置関連判定手順は、ＦＴＭ手順の測定交換フェーズであり、
前記応答通信ノード（１２０）は、前記応答通信ノード（１２０）が通信できる前記第２数の周波数帯域の前記情報を、ＦＴＭパラメータフィールドフォーマットで送信する様に動作する、応答通信ノード。
【国際調査報告】
2021500780.tif 000020
2021500780.tif 000021
2021500780.tif 000022